【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
発振信号を生成するための位相ロックループ回路であって、
２つの入力信号（基準信号、フィードバック信号）間の位相差に応答して第１の信号（アップ信号）および第２の信号（ダウン信号）を出力するように構成された位相検出器と、前記位相検出器が、前記第２の信号を出力するときに前記第１の信号を無効にすることと、前記第１の信号を出力するときに前記第２の信号を無効にすることとを行うようにさらに構成された、
前記第１の信号および前記第２の信号に応答して、同調可能周波数を有する発振信号を生成するように構成された電圧制御発振器（ＶＣＯ）と、
電荷ポンプとループフィルタと、ここにおいて、前記電荷ポンプが、前記第１の信号に応答して充電電流をソースすることと、前記第２の信号に応答して放電電流をシンクすることとによって前記ループフィルタに電流源を与えるように構成され、前記電荷ポンプが、前記ループフィルタに結合された漏れ電流源をさらに備える、
を備える、位相ロックループ回路。
【請求項２】
前記ループフィルタが、前記ＶＣＯの前記周波数を同調させるための制御電圧を生成するために、前記充電電流および前記放電電流を積分するように構成された、請求項１に記載の回路。
【請求項３】
前記位相検出器が、前記第２の信号を出力するときに前記第１の信号を無効にすることと、第１の信号を出力するときに前記第２の信号を無効にすることとを行うように構成されたゲーティング回路を備える、請求項１に記載の回路。
【請求項４】
前記２つの入力信号が、基準信号とフィードバック信号とを備え、前記フィードバック信号が、前記発振信号から導出される、請求項１に記載の回路。
【請求項５】
前記発振信号から前記フィードバック信号を生成するように構成されたフラクショナルＮ分割器をさらに備える、請求項４に記載の回路。
【請求項６】
発振信号を生成する方法であって、
２つの入力信号間の位相差を検出することと、前記検出することが、第２の信号を出力するときに第１の信号を無効にすることと、前記第１の信号を出力するときに前記第２の信号を無効にすることとによって、２つの入力信号間の前記位相差に応答して前記第１の信号および前記第２の信号を出力することを備える、
前記第１の信号および前記第２の信号に応答して、同調可能周波数を有する発振信号を生成することと
を備える、方法。
【請求項７】
前記発振信号の前記周波数を同調させるための制御電圧を生成することと、
前記第１の信号に応答して充電電流をソースすることと、前記第２の信号に応答して放電電流をシンクすることとによって、前記制御電圧を生成するための電流源を与えることと
をさらに備える、請求項６に記載の方法。
【請求項８】
制御電圧を前記生成することが、前記充電電流および前記放電電流を積分することを備える、請求項７に記載の方法。
【請求項９】
制御電圧を前記生成することに漏れ電流を与えることをさらに備える、請求項７に記載の方法。
【請求項１０】
位相差を前記検出することが、前記第２の信号を出力するときに前記第１の信号を無効にすることと、第１の信号を出力するときに前記第２の信号を無効にすることとを行うためにゲーティング回路を使用することを備える、請求項６に記載の方法。
【請求項１１】
前記２つの入力信号が、基準信号とフィードバック信号とを備え、前記フィードバック信号が、前記発振信号の関数である、請求項６に記載の方法。
【請求項１２】
前記発振信号の前記周波数をフラクショナルに分割することによって、前記フィードバック信号を生成することをさらに備える、請求項６に記載の方法。
【手続補正２】
【補正対象書類名】明細書
【補正対象項目名】００４７
【補正方法】変更
【補正の内容】
【００４７】
[0056]以上の説明は、いかなる当業者も本開示の全範囲を完全に理解することができるように与えたものである。本明細書で開示する様々な例示的な実施形態への変更は当業者には容易に明らかであろう。したがって、特許請求の範囲は、本明細書で説明した本開示の様々な態様に限定されるべきではなく、特許請求の範囲の言い回しに矛盾しない全範囲を与えられるものとする。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に、本願の出願当初の特許請求の範囲に記載された発明を付記する。
［Ｃ１］
発振信号を生成するための回路であって、
２つの入力信号間の位相差に応答して第１の信号および第２の信号を出力するように構成された位相検出器と、前記位相検出器が、前記第２の信号を出力するときに前記第１の信号を無効にすることと、前記第１の信号を出力するときに前記第２の信号を無効にすることとを行うようにさらに構成された、
前記第１の信号および前記第２の信号に応答して、同調可能周波数を有する発振信号を生成するように構成された電圧制御発振器（ＶＣＯ）と
を備える、回路。
［Ｃ２］
電荷ポンプとループフィルタとをさらに備え、ここにおいて、前記電荷ポンプが、前記第１の信号に応答して充電電流をソースすることと、前記第２の信号に応答して放電電流をシンクすることとによって前記ループフィルタに電流源を与えるように構成された、Ｃ１に記載の回路。
［Ｃ３］
前記ループフィルタが、前記ＶＣＯの前記周波数を同調させるための制御電圧を生成するために、前記充電電流および前記放電電流を積分するように構成された、Ｃ２に記載の回路。
［Ｃ４］
前記電荷ポンプが、前記ループフィルタに結合された漏れ電流源をさらに備える、Ｃ２に記載の回路。
［Ｃ５］
前記位相検出器が、前記第２の信号を出力するときに前記第１の信号を無効にすることと、第１の信号を出力するときに前記第２の信号を無効にすることとを行うように構成されたゲーティング回路を備える、Ｃ１に記載の回路。
［Ｃ６］
前記２つの入力信号が、基準信号とフィードバック信号とを備え、前記フィードバック信号が、前記発振信号から導出される、Ｃ１に記載の回路。
［Ｃ７］
前記発振信号から前記フィードバック信号を生成するように構成されたフラクショナルＮ分割器をさらに備える、Ｃ６に記載の回路。
［Ｃ８］
発振信号を生成するための回路であって、
２つの入力信号間の位相差を検出するための手段と、ここにおいて、位相差を検出するための前記手段が、２つの入力信号間の前記位相差に応答して第１の信号および第２の信号を出力するように構成され、ここにおいて、位相差を検出するための前記手段が、前記第２の信号を出力するときに前記第１の信号を無効にすることと、前記第１の信号を出力するときに前記第２の信号を無効にすることとを行うようにさらに構成された、
前記第１の信号および前記第２の信号に応答して、同調可能周波数を有する発振信号を生成するための手段と
を備える、回路。
［Ｃ９］
前記発振信号の前記周波数を同調させるための制御電圧を生成するための手段、前記第１の信号に応答して充電電流をソースするための手段および前記第２の信号に応答して放電電流をシンクするための手段を備える制御電圧を生成するための前記手段に電流源を与えるための手段、をさらに備える、Ｃ８に記載の回路。
［Ｃ１０］
制御電圧を生成するための前記手段が、前記発振信号の前記周波数を同調させるための前記制御電圧を生成するために、前記充電電流および前記放電電流を積分するように構成された、Ｃ９に記載の回路。
［Ｃ１１］
電流源を与えるための前記手段が、制御電圧を生成するための前記手段に漏れ電流を与えるための手段をさらに備える、Ｃ９に記載の回路。
［Ｃ１２］
位相差を検出するための前記手段が、前記第２の信号を出力するときに前記第１の信号を無効にすることと、第１の信号を出力するときに前記第２の信号を無効にすることとを行うように構成されたゲーティング回路を備える、Ｃ８に記載の回路。
［Ｃ１３］
前記２つの入力信号が、基準信号とフィードバック信号とを備え、前記フィードバック信号が、前記発振信号の関数である、Ｃ８に記載の回路。
［Ｃ１４］
前記発振信号の前記周波数をフラクショナルに分割することによって、前記フィードバック信号を生成するための手段をさらに備える、Ｃ１３に記載の回路。
［Ｃ１５］
発振信号を生成する方法であって、
２つの入力信号間の位相差を検出することと、前記検出することが、第２の信号を出力するときに第１の信号を無効にすることと、前記第１の信号を出力するときに前記第２の信号を無効にすることとによって、２つの入力信号間の前記位相差に応答して前記第１の信号および前記第２の信号を出力することを備える、
前記第１の信号および前記第２の信号に応答して、同調可能周波数を有する発振信号を生成することと
を備える、方法。
［Ｃ１６］
前記発振信号の前記周波数を同調させるための制御電圧を生成することと、前記第１の信号に応答して充電電流をソースすることと、前記第２の信号に応答して放電電流をシンクすることとによって、前記制御電圧を生成するための電流源を与えることとをさらに備える、Ｃ１５に記載の方法。
［Ｃ１７］
制御電圧を前記生成することが、前記充電電流および前記放電電流を積分することを備える、Ｃ１６に記載の方法。
［Ｃ１８］
制御電圧を前記生成することに漏れ電流を与えることをさらに備える、Ｃ１６に記載の方法。
［Ｃ１９］
位相差を前記検出することが、前記第２の信号を出力するときに前記第１の信号を無効にすることと、第１の信号を出力するときに前記第２の信号を無効にすることとを行うためにゲーティング回路を使用することを備える、Ｃ１５に記載の方法。
［Ｃ２０］
前記２つの入力信号が、基準信号とフィードバック信号とを備え、前記フィードバック信号が、前記発振信号の関数である、Ｃ１５に記載の方法。
［Ｃ２１］
前記発振信号の前記周波数をフラクショナルに分割することによって、前記フィードバック信号を生成することをさらに備える、Ｃ２０に記載の方法。